(57)【要約】【課題】筐体とカバーとを密着させてカバーを筐体に強固に固定できる固定構造を提供すること。【解決手段】固定構造１は、筐体１０にカバー５０を自在に固定する。固定構造１は、カバー５０を筐体１０に固定するために、筐体１０の縁１１に配設される開口部１５を挿通して縁１１の裏面１２に引っ掛かる突起部５３ａを先端５３ｂに有し、弾性力を有する鉤形状の爪部５３を具備している。  爪部５３は、カバー５０の縁５１の一部を筐体１０に向かって屈曲させ、且つ屈曲によって段差５５を形成するように加工される縁５１の一部である。爪部５３は、弾性力によって突起部５３ａを裏面１２に向かって押し付けることで、突起部５３ａを裏面１２に引っ掛け、先端５３ｂと縁５１とによって縁１１を挟み込み、縁１１と縁５１とを密着させた状態で、カバー５０を筐体１０に固定する。【選択図】      図３
2011009512.tif 000002
【特許請求の範囲】
【請求項１】
筐体にカバーを自在に固定する固定構造であって、
前記カバーを前記筐体に固定するために、筐体の縁に配設される開口部を挿通して前記筐体の縁の裏面に引っ掛かる突起部を先端に有し、弾性力を有する鉤形状の爪部を具備し、
前記爪部は、前記カバーの縁の一部を前記筐体に向かって屈曲させ、且つ屈曲によって段差を形成するように加工される前記カバーの縁の一部であり、
前記爪部は、前記弾性力によって前記突起部を前記裏面に向かって押し付けることで、前記突起部を前記筐体の縁の前記裏面に引っ掛け、前記先端と前記カバーの縁とによって前記筐体の縁を挟み込み、前記筐体の縁と前記カバーの縁とを密着させた状態で、前記カバーを前記筐体に固定することを特徴とする固定構造。
【発明の詳細な説明】
【技術分野】
【０００１】
本発明は、筐体にカバーを自在に固定する固定構造に関する。
【背景技術】
【０００２】
例えばデジタル移動通信システムにおける無線基地局には、様々な用途に用いられる筐体が配設されている。このような筐体は、例えば無線基地局を駆動させる電源ユニットである。
【０００３】
一般的にこのような筐体には、筐体に収容される図示しない実装基板と、筐体の正面を覆うように正面に固定されるフロントパネルと、筐体の上面を覆うように上面に固定されるカバーとが配設されている。
【０００４】
実装基板には、電源部品が実装されている。
【０００５】
筐体において、筐体の正面全体と筐体の上面全体とが開口しており、上述したように正面にフロントパネルが覆うように固定され、上述したように上面にカバーが覆うように固定されている。
【０００６】
カバーの縁は、平面である。カバーのこの縁には、カバーを筐体に固定するために、筐体の縁に配設される後述する開口部を挿通して筐体の縁の裏面に引っ掛かる爪部が配設されている。
【０００７】
カバーの縁に対向する筐体の縁には、爪部が筐体の縁の裏面に引っ掛かるために挿通する開口部が配設されている。また筐体の縁は、爪部が開口部を挿通し筐体の縁の裏面に強固に引っ掛かるために、カバーの縁を押し上げる弾性力を有する板ばねである。板ばねである筐体の縁は、カバーに向って盛り上がっており、平面ではない。
【０００８】
爪部が開口部を挿通し筐体の縁の裏面に引っ掛かり、筐体の縁が弾性力によってカバーの縁を押し上げることで、爪部はより強固に筐体の縁の裏面に引っ掛かる。これによりカバーは、筐体の上面を覆うように固定される。
【０００９】
このように爪部と板ばねである筐体の縁とは、カバーを筐体に固定する一般的な固定構造である。
【００１０】
なおフロントパネルは、筐体の正面にネジ止めされる。
【００１１】
例えば特許文献１には、誘電性のカバーと絶縁シートとの固定を容易にし、電子部品を実装された実装基板と、誘電性のカバーとを絶縁する電子装置が開示されている。
【先行技術文献】
【特許文献】
【００１２】
【特許文献１】特開２００４−２１４３０３号公報
【発明の概要】
【発明が解決しようとする課題】
【００１３】
上述した一般的な固定構造において、筐体の縁は、カバーに向って盛り上がっており、平面ではない。そのためカバーが筐体に固定された際に、カバーの縁と筐体の縁との間に隙間が生じ、カバーと筐体と（カバーの縁と筐体の縁と）は密着せず、がたつきが生じる。これにより例えば電源ユニットとしての筐体の機能が低下してしまう虞が生じる。
【００１４】
そのため本発明は、上記事情に鑑み、筐体とカバーとを密着させてカバーを筐体に強固に固定できる固定構造を提供することを目的とする。
【課題を解決するための手段】
【００１５】
本発明は目的を達成するために、筐体にカバーを自在に固定する固定構造であって、前記カバーを前記筐体に固定するために、筐体の縁に配設される開口部を挿通して前記筐体の縁の裏面に引っ掛かる突起部を先端に有し、弾性力を有する鉤形状の爪部を具備し、前記爪部は、前記カバーの縁の一部を前記筐体に向かって屈曲させ、且つ屈曲によって段差を形成するように加工される前記カバーの縁の一部であり、前記爪部は、前記弾性力によって前記突起部を前記裏面に向かって押し付けることで、前記突起部を前記筐体の縁の前記裏面に引っ掛け、前記先端と前記カバーの縁とによって前記筐体の縁を挟み込み、前記筐体の縁と前記カバーの縁とを密着させた状態で、前記カバーを前記筐体に固定することを特徴とする固定構造を提供する。
【００１６】
また本発明は目的を達成するために、前記爪部は、アースを兼ねていることを特徴とする上記に記載の固定構造を提供する。
【００１７】
また本発明は目的を達成するために、前記突起部と前記先端とを含む前記爪部は、前記弾性力を有する板ばねであることを特徴とする上記に記載の固定構造を提供する。
【００１８】
また本発明は目的を達成するために、前記段差は、前記筐体の縁と略同じ厚みを有し、前記カバーが前記筐体に固定される際に、前記筐体に対する前記カバーのずれを防止することを特徴とする上記に記載の固定構造を提供する。
【発明の効果】
【００１９】
本発明によれば、筐体とカバーとを密着させてカバーを筐体に強固に固定できる固定構造を提供することができる。
【図面の簡単な説明】
【００２０】
【図１】図１は、本実施形態における固定構造の分解斜視図である。
【図２】図２は、固定構造の拡大斜視図である。
【図３】図３は、爪部と筐体の縁の裏面に引っ掛かり、上面カバーと筐体とが密着した状態を示す図である。
【発明を実施するための形態】
【００２１】
以下、図面を参照して本発明の実施形態について詳細に説明する。図１乃至図３を参照して実施形態について説明する。  
図１に示すように固定構造１は、筐体１０にカバー５０を自在に固定する。
【００２２】
図１に示すようにこの筐体１０には、筐体１０に収容される図示しない実装基板と、筐体１０の正面１０ａを覆うように正面１０ａに固定されるフロントパネル３０と、筐体１０の上面１０ｂを覆うように上面１０ｂに固定されるカバー５０とが配設されている。
【００２３】
より詳細には、図１に示すように筐体１０において、筐体１０の正面１０ａ全体と筐体１０の上面１０ｂ全体とが開口しており、上述したように正面１０ａにフロントパネル３０が覆うように固定され、上述したように上面１０ｂにカバー５０が覆うように固定されている。
【００２４】
このような筐体１０は、例えばデジタル移動通信システムにおける無線基地局において、様々な用途に用いられる。筐体１０は、例えば実装基板を収容することで、無線基地局を駆動させる電源ユニットをなしている。
【００２５】
実装基板には、図示しない電源部品が実装されている。
【００２６】
フロントパネル３０の内面とカバー５０の内面とには、フロントパネル３０とカバー５０とが実装基板と絶縁するための図示しない絶縁シートが配設されている。絶縁シートは、筐体１０の内部にも配設されている。このような絶縁シートは、電源部品が実装された実装基板から他の実装基板などへの漏電を防止するため、及びメンテナンスの際に作業者が筐体１０（実装基板）に触れて感電することを防止するために、実装基板を覆っている。
【００２７】
フロントパネル３０は、正面１０ａにネジ３１によってネジ止めされる。
【００２８】
図２と図３とに示すようにカバー５０の縁５１は、例えば平面である。図１乃至図３に示すように、この縁５１には、カバー５０を筐体１０に固定するために、筐体１０の縁１１に配設される後述する開口部１５を挿通して縁１１の裏面１２に引っ掛かる突起部５３ａを先端５３ｂに有し、弾性力を有する鉤形状の爪部５３が配設されている。爪部５３は、アースを兼ねている。
【００２９】
この爪部５３は、縁５１の一部を筐体１０に向かって屈曲させ、且つ屈曲によって縁１１と略同じ厚みを有する段差５５を形成するように加工された縁５１の一部である。つまり爪部５３は、カバー５０と一体である。また爪部５３は、筐体１０に向かって屈曲している屈曲爪である。さらに爪部５３は、縁１１と略同じ厚みを有する段差５５を形成している。この段差５５には、爪部５３を開口部１５に挿通させ、カバー５０を筐体１０に固定するために、カバー５０が筐体１０に対してスライドした際に、開口部１５の縁１５ａが当接する。このように段差５５は、カバー５０が筐体１０に固定される際に、筐体１０に対するカバー５０のずれを防止するストッパーとして機能する。
【００３０】
上述したように爪部５３は、カバー５０が筐体１０に固定される際に裏面１２に引っ掛かる突起部５３ａを爪部５３の先端５３ｂの端面５３ｃに有している。端面５３ｃは例えば平面であり、端面５３ｃの先端５３ｄは例えば略半円形形状である。
【００３１】
突起部５３ａは、端面５３ｃを裏面５３ｅ側から表面５３ｆ側に向けて例えば押し出し形成された端面５３ｃの一部である。突起部５３ａは例えば略半球形状を有し、突起部５３ａの先端は例えば鋭利である。つまり突起部５３ａは、カバー５０が筐体１０に固定される際に裏面１２に対向するように端面５３ｃから突出している。
【００３２】
突起部５３ａと先端５３ｂとを含む爪部５３は、弾性力を有する例えば板ばねである。爪部５３は、この弾性力によって突起部５３ａを裏面１２に向かって押し付けることで、突起部５３ａを筐体１０の縁１１の裏面１２に引っ掛け、先端５３ｂの端面５３ｃとカバー５０の縁５１とによって筐体１０の縁１１を挟み込み、筐体１０の縁１１とカバー５０の縁５１とを隙間なく密着させた状態で、カバー５０を筐体１０に固定する。
【００３３】
なお爪部５３は、筐体１０の側面１３に接し、カバー５０において対向する一方の縁５１ａと他方の縁５１ｂとのそれぞれに配設されている。爪部５３は、縁５１ａ，５１ｂに例えば等間隔に３個配設されている。また爪部５３は、縁５１ａと縁５１ｂとを結ぶ直線方向（より詳細には、縁５１ａ，５１ｂの長さ方向に直交する方向）において、例えば同一直線上に配設されている。
【００３４】
なお爪部５３は、筐体１０の背面１４に対向する縁５１ｃにも例えば等間隔に２箇配設されている。
【００３５】
縁５１に対向する縁１１には、爪部５３（突起部５３ａ）が裏面１２に引っ掛かるために挿通する開口部１５が配設されている。開口部１５は、切り欠きである。また縁１１は、カバー５０に向って盛り上がっておらず、例えば平面である。開口部１５は、爪部５３が挿通可能な大きさを有している。開口部１５の長さは、爪部５３、より詳細には開口部を挿通する端面５３ｃの長さと略同様、または端面５３ｃの長さよりも長いことが、爪部５３を開口部１５に容易に挿通させ、突起部５３ａを裏面１２に引っ掛ける観点から好適である。
【００３６】
次に本実施形態の動作方法について説明する。  
図３に示すように端面５３ｃを含む爪部５３が開口部１５を挿通するように、カバー５０が筐体１０に設置される。
【００３７】
図３に示すようにカバー５０は、筐体１０に対してスライドする。これにより突起部５３ａは、裏面１２に対向する。さらに板ばねである爪部５３は自身の弾性力によって突起部５３ａを裏面１２に向かって押し付け、端面５３ｃと縁５１とは縁１１を挟み込む。これにより突起部５３ａが裏面１２に引っ掛かり、縁１１は端面５３ｃと縁５１とによって挟み込まれ、カバー５０は筐体１０に強固に固定される。
【００３８】
このように突起部５３ａが裏面１２に引っ掛かり、カバー５０が筐体１０に固定された際、平面である縁１１と縁５１とは、隙間なく密着する。よってカバー５０と筐体１０とのがたつきが、防止される。さらに突起部５３ａが弾性力によって裏面１２から離れることが防止され、爪部５３においてアースとしての機能の低下が防止される。
【００３９】
なおカバー５０がスライドした際に、縁１５ａが段差５５に当接するために、カバー５０が筐体１０に対してスライドしすぎる（ずれすぎる）ことが段差５５によって防止される。
【００４０】
またネジ３１は、フロントパネル３０を正面１０ａにネジ止めする。
【００４１】
このように本実施形態では、弾性力によって突起部５３ａを裏面１２に向って押し付け、突起部５３ａを裏面１２に引っ掛け、縁１１を端面５３ｃと縁５１とによって挟み込むことで、カバー５０を筐体１０に強固に固定することができる。
【００４２】
さらに本実施形態では、縁１１と縁５１とが例えば平面でるために、爪部５３によって縁１１と縁５１とを隙間なく密着させることができ、弾性力と突起部５３ａとによってカバー５０と筐体１０とのがたつきを防止することができる。
【００４３】
これにより本実施形態では、例えば電源ユニットとしての筐体の機能の低下を防止することができる。
【００４４】
また本実施形態では、弾性力によって突起部５３ａが裏面１２から離れてしまうことを防止できるために、爪部５３においてアースとしての機能の低下を防止することができる。
【００４５】
また本実施形態では、カバー５０がスライドした際に、爪部５３（段差５５）を縁１５ａに当接することができるために、カバー５０が筐体１０に対してスライドしすぎる（すれすぎる）ことを防止することができる。
【００４６】
また本実施形態では、爪部５３と突起部５３ａとカバー５０とを一体としているために、部品点数を削減でき、安価にすることができる。
【００４７】
なお本実施形態では、突起部５３ａは、端面５３ｃと別体であってもよい。
【００４８】
また本実施形態では、突起部５３ａが裏面１２に引っ掛かることができれば、突起部５３ａの形状は特に限定されない。
【００４９】
また本実施形態では、縁１１と縁５１とが爪部５３によって隙間なく密着し、爪部５３がアースとしての機能することができれば、縁１１と縁５１とは、平面に限定する必要はなく、例えば曲面であっても良い。
【００５０】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００５１】
１…固定構造、１０…筐体、１０ａ…正面、１０ｂ…上面、１１…縁、１２…裏面、１３…側面、１４…背面、１５…開口部、１５ａ…縁、３０…フロントパネル、３１…ネジ、５０…カバー、５１…縁、５３…爪部、５３ａ…突起部、５３ｂ…先端、５３ｃ…端面、５３ｄ…先端、５３ｅ…裏面、５３ｆ…表面、５５…段差。
【図１】
2011009512.tif 000003
【図２】
2011009512.tif 000004
【図３】
2011009512.tif 000005